(57)【要約】【課題】遠方監視制御システムにおいて、ＴＣ親局の負担を軽減し、ＴＣ子局間の情報通知／連絡を確実、高速にする。【解決手段】ＩＰネットワークを通してＴＣ親局１とＴＣ子局２Ａ〜２Ｎ間での各種情報伝送を行う場合、ＴＣ親局を介して行っていた子局間の情報通知／連絡処理を、情報発信側になるＴＣ子局２Ａが情報の子局間連絡要否を判断し、子局間連絡を必要と判断したときにＴＣ子局間で専用の情報伝送用ポートにより、ＴＣ親局を介することなく直接に伝送する。【選択図】図１
2009290399.tif 000002
【特許請求の範囲】
【請求項１】
ＩＰネットワークを通してＴＣ親局とＴＣ子局間の情報伝送を行う遠方監視制御システムにおいて、
前記ＴＣ子局間の情報通知／連絡には、ＴＣ子局間で専用の情報伝送用ポートを作成し、情報発信側になるＴＣ子局が当該情報の連絡要否を判断し、連絡を必要と判断した場合に情報連絡先になるＴＣ子局と直接に情報の送受信を行う手段を備えたことを特徴とする遠方監視制御システムの情報通知／連絡方式。
【請求項２】
前記ＴＣ子局間の情報通知／連絡をＴＣ親局との監視制御情報の送受信とは別の専用ポートで行う構成としたことを特徴とする請求項１に記載の遠方監視制御システムの情報通知／連絡方式。
【請求項３】
前記ＴＣ子局間で通知／連絡する情報指定をデータ毎に設定できる構成としたことを特徴とする請求項１または２に記載の遠方監視制御システムの情報通知／連絡方式。
【請求項４】
前記ＴＣ子局間の情報の通知／連絡先をＩＰアドレスおよびポート毎に設定できる構成としたことを特徴とする請求項１〜３のいずれか１項に記載の遠方監視制御システムの情報通知／連絡方式。
【発明の詳細な説明】
【技術分野】
【０００１】
本発明は、ＩＰネットワークを通して親局（ＴＣ親局）と子局（ＴＣ子局）間の情報伝送を行う遠方監視制御システムに係り、特に子局間の情報通知／連絡方式に関する。
【背景技術】
【０００２】
ＩＰネットワークでの通信を可能とするＩＰ（Ｉｎｔｅｒｎｅｔ  Ｐｒｏｔｏｃｏｌ）プロトコルは、現在のインターネットで使われているプロトコルの基本となっており、遠方監視制御システムにおける親局と子局間の情報伝送プロトコルとしてＴＣＰ／ＩＰやＵＤＰ／ＩＰで使用されている（例えば，特許文献１，２参照）。
【０００３】
現在の遠方監視制御システムでは、図７に情報伝送例を示すように、ＴＣ親局１とＴＣ子局２Ａ〜２Ｎの間は専用回線で接続され、４４ビットサイクリック伝送やＨＤＬＣ（ＡＢＭ）等により情報伝送される。
【０００４】
ここで、子局間の情報通知／連絡には、例えば、事故により発生した遮断器のトリップ情報等を変電所に設置されたＴＣ子局２Ａから、別の変電所や拠点に設置されているＴＣ子局２Ｂへ連絡する場合、ＴＣ子局２Ａが専用回線を通してＴＣ親局１へ通知した情報を、ＴＣ親局１が別のＴＣ子局２Ｂへ下り情報として通知する。
【特許文献１】特開２００２−１０１１２３号公報
【特許文献２】特開２０００−１４８６４８号公報
【発明の開示】
【発明が解決しようとする課題】
【０００５】
ＴＣ親局とＴＣ子局がＩＰプロトコルを用いて情報伝送を行うシステム構成となった場合、回線が高速化されたことによりＴＣ子局からの情報量が増えることが予想される。この場合、図８に情報通知／連絡遅れの例を示すように、ＴＣ親局１では受信情報量が増えることにより、ＣＰＵ負荷が大きくなり、子局への遮断器ＯＦＦの連絡処理に遅れが生じる可能性が考えられる。さらに、子局２Ｂでは連絡の遅れでその対策処理が遅れて実施される。
【０００６】
また、図９に情報通知不能の例を示すように、ＴＣ親局を介してＴＣ子局〜ＴＣ子局間の情報連絡を行う場合、ＴＣ親局１の故障発生でＴＣ親局〜ＴＣ子局間の情報伝送が実施不能となると、ＴＣ子局〜ＴＣ子局間の情報連絡も合わせて実施不能に陥り、必要な情報が連絡されないという問題もある。
【０００７】
本発明の目的は、ＴＣ親局の負担を軽減し、ＴＣ子局間の情報通知／連絡を確実、高速にする遠方監視制御システムの情報通知／連絡方式を提供することにある。
【課題を解決するための手段】
【０００８】
本発明は、前記の課題を解決するため、ＩＰネットワークを通してＴＣ親局とＴＣ子局間での各種情報伝送を行う場合、ＴＣ親局を介して行っていた子局間の情報通知／連絡処理を、ＴＣ子局が情報の子局間連絡要否を判断し、子局間連絡を必要と判断したときにＴＣ子局間で専用の情報伝送用ポートにより、ＴＣ親局を介することなく直接に伝送するようにしたもので、以下の方式を特徴とする。
【０００９】
（１）ＩＰネットワークを通してＴＣ親局とＴＣ子局間の情報伝送を行う遠方監視制御システムにおいて、
前記ＴＣ子局間の情報通知／連絡には、ＴＣ子局間で専用の情報伝送用ポートを作成し、情報発信側になるＴＣ子局が当該情報の連絡要否を判断し、連絡を必要と判断した場合に情報連絡先になるＴＣ子局と直接に情報の送受信を行う手段を備えたことを特徴とする。
【００１０】
（２）前記ＴＣ子局間の情報通知／連絡をＴＣ親局との監視制御情報の送受信とは別の専用ポートで行う構成としたことを特徴とする。
【００１１】
（３）前記ＴＣ子局間で通知／連絡する情報指定をデータ毎に設定できる構成としたことを特徴とする。
【００１２】
（４）前記ＴＣ子局間の情報の通知／連絡先をＩＰアドレスおよびポート毎に設定できる構成としたことを特徴とする。
【発明の効果】
【００１３】
以上のとおり、本発明によれば、遠方監視制御システムにおいて、ＩＰネットワークを通してＴＣ親局とＴＣ子局間での各種情報伝送を行う場合、ＴＣ親局を介して行っていた子局間の情報通知／連絡処理を、ＴＣ子局が情報の子局間連絡要否を判断し、子局間連絡を必要と判断したときにＴＣ子局間で専用の情報伝送用ポートにより、ＴＣ親局を介することなく直接に伝送するため、ＴＣ親局の負担を軽減し、ＴＣ子局間の情報通知／連絡が確実、高速になる。具体的には、下記の効果が期待できる。
【００１４】
（１）ＴＣ親局を介さずにＴＣ子局間の情報伝送を行うことにより、システム全体として子局間の通知／連絡処理の効率化を図ることができる。
【００１５】
（２）子局間通知／連絡の伝送をＩＰプロトコルでの専用ポートで行うことにより、監視制御データとのデータの干渉を防止できる。
【００１６】
（３）ポートにより伝送の識別を実施するため、ＴＣＰ／ＩＰおよびＵＤＰ／ＩＰの各種ＩＰ伝送で適用可能。
【００１７】
（４）ＴＣ親局でのＣＰＵ負荷増により、子局間連絡処理に遅れが生じることを未然に防止できる。
【００１８】
（５）ＴＣ親局の故障による子局間情報通知／連絡の欠落を未然に防止できる。
【００１９】
（６）ＴＣ親局での子局間通知／連絡処理が不要となるため、ＴＣ親局のＣＰＵ負荷を軽減できる。
【発明を実施するための最良の形態】
【００２０】
図１は、本発明の実施形態を示すＴＣ子局間の情報通知／連絡の模式図である。ＴＣ親局１とＴＣ子局２Ａ、２ＢがＩＰ網を通して情報伝送を行う遠方監視制御システムにおいて、子局間の情報通知／連絡処理は、従来のＴＣ親局１を介して行う手法ではなく、ＴＣ子局２Ａ、２Ｂ間で専用の情報伝送用ポートを作成し、情報発信側になるＴＣ子局２Ａが情報の連絡要否を判断し、連絡を必要と判断した場合に情報連絡先になるＴＣ子局２Ｂと直接に情報の送受信を行う。
【００２１】
図２は、ＴＣ子局のブロック構成を示し、ＴＣ子局２Ａの場合で示す。ＴＣ子局２Ａは、機器（例えば、計測機器）に対する情報の入出力を行う情報入出力部２１、情報入出力部２１に対し情報の入出力を行い所定の処理を行う主体であるデータ処理部２２、データ処理部２２から受けたデータを他の子局へ連絡すべきか否かを判定する判定部２３を備える。また、データ処理部２２から受けた監視制御情報をＴＣ親局へ送信するデータ送信部２４、他の子局への連絡を必要とする場合に当該ポートをもつ子局へ子局間通知／連絡情報を送信するデータ送信部２５を備える。また、ＴＣ親局から監視制御情報を受信するデータ受信部２６、他のＴＣ子局から子局間通知／連絡情報を受信するデータ受信部２７、これら情報について他の子局への連絡の要否を判定する判定部２８を備える。
【００２２】
判定部２３，２８における判定用データは連絡先定義データベース２９に予め保存される。すなわち、ＴＣ子局２Ａが情報の子局間通知／連絡を行う際には、情報（連絡）内容毎にＴＣ親局および他のＴＣ子局への連絡要否を定義可能とし、この定義に従い情報伝送を実施する方式とする。この情報連絡先の定義例を図３に表で示し、ＴＣ子局間で連絡する情報指定をデータ毎に設定でき、またＴＣ子局間の情報の連絡先をＩＰアドレスおよびポート毎に設定できる。
【００２３】
上記例のＩＰは１９２．１６８．ｘｘｘ．ｙｙｙのｘｘｘとｙｙｙのみ記載している。ＰＯＲＴは１０２４〜４９１５１の登録用ポート番号で未使用のポート番号を採用している。
【００２４】
これにより、ＴＣ親局での情報量増加によるＣＰＵ負荷増で、ＴＣ子局間の情報通知／連絡処理に遅れが生じることはなくなる。また、ＴＣ親局の故障発生に伴い子局間情報の通知／連絡が実施不能となる問題も解消される。
【００２５】
（具体例１）
図４は、事故発生による遮断器トリップ情報を隣接変電所へ通知／連絡する手順例、および連絡先定義例を示す。
【００２６】
（Ｓ１）ＴＣ子局２Ａが事故発生により遮断器のトリップを検出する。
【００２７】
（Ｓ２）ＴＣ子局２Ａは遮断器のトリップ情報をポートＡを介してＴＣ親局１へ通知する（従来と同様の処理）。
【００２８】
（Ｓ３）ＴＣ子局２Ａは遮断器のトリップ情報が隣接のＴＣ子局２Ｂへの連絡が必要と判断し、連絡用ポートｂを介して通知する。
【００２９】
（Ｓ４）ＴＣ子局２Ｂは連絡用ポートｂを介してＴＣ子局２Ａから通知された情報により、遮断器トリップの処理を実施する。
【００３０】
（具体例２）
図５は、計測監視での上下限逸脱情報を隣接変電所および営業所へ通知／連絡する手順例、および連絡先定義例を示す。
【００３１】
（Ｓ１）ＴＣ子局２Ａがバンクの過負荷を検出する。
【００３２】
（Ｓ２）ＴＣ子局２Ａは過負荷情報をポートＡを介してＴＣ親局１へ通知する（従来と同様の処理）。
【００３３】
（Ｓ３）ＴＣ子局２Ａは過負荷情報が隣接のＴＣ子局２Ｂへの連絡が必要と判断し、連絡用ポートｂを介して通知する。
【００３４】
（Ｓ４）ＴＣ子局２Ｂは連絡用ポートｂを介してＴＣ子局２Ａから通知された情報により、隣接ＴＣ過負荷発生の処理を実施する。
【００３５】
（Ｓ５）ＴＣ子局２Ａは過負荷情報が営業所のＴＣ子局２Ｎへの連絡が必要と判断し、連絡用ポートｎを介して通知する。
【００３６】
（Ｓ６）ＴＣ子局２Ｎは連絡用ポートｎを介してＴＣ子局２Ａから通知された情報により、隣接ＴＣ過負荷発生の処理を実施する。
【００３７】
なお、連絡先定義例において、ＴＣ親局１のＩＰは１９２．１６８．１．１００、ＴＣ子局２ＢのＩＰは１９２．１６８．１．２、ＴＣ子局２ＮのＩＰは１９２．１６８．１．６３とする。
【００３８】
（具体例３）
図６は、ＴＣ親局からの警報停止制御を隣接変電所へチェーン連絡する手順例、および連絡先定義例を示す。
【００３９】
（Ｓ１）ＴＣ親局１がＴＣ子局２Ａへ警報停止制御出力を行う（従来と同様の処理）。
【００４０】
（Ｓ２）ＴＣ子局２Ａは警報停止処理を行うとともに当該情報をポートｂを介してＴＣ子局２Ｂへ通知する。
【００４１】
（Ｓ３）ＴＣ子局２Ｂは警報停止処理を行うとともに当該情報を指定ＴＣ子局へ通知する。
【００４２】
（Ｓ４）最終のＴＣ子局２Ｎは連絡用ポートｎを介して隣接ＴＣ子局から受信した警報停止制御の処理を実施する。
【図面の簡単な説明】
【００４３】
【図１】本発明の実施形態を示すＴＣ子局間の情報通知／連絡の模式図。
【図２】ＴＣ子局のブロック構成図。
【図３】情報連絡先の定義例。
【図４】情報通知／連絡手順と連絡先の定義例。
【図５】情報通知／連絡手順と連絡先の定義例。
【図６】情報通知／連絡手順と連絡先の定義例。
【図７】遠方監視制御システムの情報伝送例。
【図８】情報通知／連絡遅れの例。
【図９】情報通知／連絡不能の例。
【符号の説明】
【００４４】
１  ＴＣ親局
２Ａ，２Ｂ，２Ｎ  ＴＣ子局
２１  情報入出力部
２２  データ処理部
２３  連絡判定部（送信）
２４  データ送信部（監視制御）
２５  データ送信部（子局間連絡）
２６  データ受信部（監視制御）
２７  データ受信部（子局間連絡）
２８  連絡判定部（受信）
２９  連絡先定義データベース
【図１】
2009290399.tif 000003
【図２】
2009290399.tif 000004
【図３】
2009290399.tif 000005
【図４】
2009290399.tif 000006
【図５】
2009290399.tif 000007
【図６】
2009290399.tif 000008
【図７】
2009290399.tif 000009
【図８】
2009290399.tif 000010
【図９】
2009290399.tif 000011